(57)【特許請求の範囲】
【請求項１】
有料道路の各入場口に設置される入場側装置および前記有料道路の各出場口に設置される出場側装置と、前記有料道路を管理する有料道路管理装置とをネットワークを介して通信可能な状態に接続して構成され、前記有料道路に入場する車両のドライバから、貨幣価値をデジタルデータで表現した電子マネーが記憶されている電子マネー媒体を用いて、電子マネーで支払われた入場時料金の収受を管理する料金収受管理システムであって、
前記入場側装置は、
前記入場口において一旦停止した車両のドライバから電子マネー媒体を受領した場合に、有料道路を利用する際の最大料金に対応する電子マネーを前記入場時料金として当該電子マネー媒体から収受する料金収受手段と、
前記入場口において一旦停止した車両のドライバから電子マネー媒体を受領した場合に、当該電子マネー媒体に対して一意に付与された電子媒体識別子を取得する電子媒体識別子取得手段と、
前記電子媒体識別子取得手段により取得された電子媒体識別子と、前記入場口において一旦停止した車両が通過する当該入場口を特定するための入場口情報とを対応付けて、前記有料道路管理装置に送信する入場口情報送信手段と、
を備え、
前記出場側装置は、
前記出場口を通過する車両に搭載されている通信器から、当該通信器に対して一意に付与された通信器識別子を取得する出場時通信器識別子取得手段と、
前記出場時通信器識別子取得手段により取得された通信器識別子と、当該通信器識別子に対応する通信器を搭載した車両によって通過される出場口を特定するための出場口情報とを対応付けて、前記有料道路管理装置に送信する出場口情報送信手段と、
を備え、
前記有料道路管理装置は、
前記通信器識別子および前記電子媒体識別子をあらかじめ紐付けた紐付情報を記憶する紐付情報記憶手段と、
前記入場側装置から受信した電子媒体識別子および入場口情報を対応付けて記憶する車両通行情報記憶手段と、
前記紐付情報記憶手段により記憶されている電子媒体識別子の中から、前記出場側装置から受信した通信器識別子に対応する電子媒体識別子を検索する電子媒体識別子検索手段と、
前記車両通行情報記憶手段により記憶されている入場口情報の中から、前記電子媒体識別子検索手段により検索された電子媒体識別子に対応する入場口情報を検索し、当該検索された入場口情報と、前記出場側装置から受信された出場口情報とに基づいて、前記入場口情報が示す入場口から前記出場口情報が示す出場口までに至る距離に応じた対距離料金と前記入場時料金との差額を算出し、当該算出された差額の返金先を前記電子媒体識別子検索手段により検索された電子媒体識別子に決定する返金先決定手段と、
を備えたことを特徴とする料金収受管理システム。
【請求項２】
前記入場側装置は、
前記通信器識別子および前記電子媒体識別子をあらかじめ紐付けた紐付情報を記憶する紐付情報記憶手段と、
前記入場口において一旦停止した車両に搭載されている通信器に対して一意に付与された通信器識別子を取得する入場時通信器識別子取得手段と、
前記入場時通信器識別子取得手段により取得された通信器識別子と、前記電子媒体識別子取得手段により取得された電子媒体識別子との対からなる紐付情報が、前記紐付情報記憶手段により記憶されている紐付情報の中に存在するか否かを判定する紐付情報判定手段と、
をさらに備え、
前記入場口情報送信手段は、前記入場時通信器識別子取得手段により取得された通信器識別子と、前記電子媒体識別子取得手段により取得された電子媒体識別子との対からなる紐付情報が、前記紐付情報記憶手段により記憶されている紐付情報の中に存在するものと前記紐付情報判定手段により判定された場合には、電子媒体識別子および入場口情報を前記有料道路管理装置に送信することを特徴とする請求項１に記載の料金収受管理システム。
【請求項３】
前記入場側装置は、
前記入場口において一旦停止した車両を特定するための車両特定情報を取得する入場時車両特定情報取得手段をさらに備え、
前記入場口情報送信手段は、前記電子媒体識別子取得手段により取得された電子媒体識別子、および前記入場口において一旦停止した車両が通過する当該入場口を特定するための入場口情報に対応付けて、さらに前記入場時車両特定情報取得手段により取得された車両特定情報を前記有料道路管理装置に送信し、
前記出場側装置は、
前記出場口を通過する車両を特定するための車両特定情報を取得する出場時車両特定情報取得手段をさらに備え、
前記出場口情報送信手段は、前記出場時通信器識別子取得手段により取得された通信器識別子、および当該通信器識別子に対応する通信器を搭載した車両によって通過される出場口を特定するための出場口情報に対応付けて、さらに前記出場時車両特定情報取得手段により取得された車両特定情報を前記有料道路管理装置に送信し、
前記有料道路管理装置の前記車両通行情報記憶手段は、前記入場側装置から受信した電子媒体識別子、入場口情報および車両特定情報を対応付けて記憶し、
前記返金先決定手段は、前記車両通行情報記憶手段により記憶されている入場口情報の中から、前記電子媒体識別子検索手段により検索された電子媒体識別子に対応する車両特定情報を検索し、当該検索された車両特定情報と、前記出場側装置から受信した車両特定情報とが互いに一致する場合には、前記差額の返金先の決定を行うことを特徴とする請求項１または２に記載の料金収受管理システム。
【請求項４】
有料道路の各入場口に設置される入場側装置および前記有料道路の各出場口に設置される出場側装置と、前記有料道路を管理する有料道路管理装置とをネットワークを介して通信可能な状態に接続して構成され、前記有料道路に入場する車両のドライバから、貨幣価値をデジタルデータで表現した電子マネーが記憶されている電子マネー媒体を用いて、電子マネーで支払われた入場時料金の収受を管理する料金収受管理方法であって、
前記入場側装置は、
前記入場口において一旦停止した車両のドライバから電子マネー媒体を受領した場合に、有料道路を利用する際の最大料金に対応する電子マネーを前記入場時料金として当該電子マネー媒体から収受する料金収受ステップと、
前記入場口において一旦停止した車両のドライバから電子マネー媒体を受領した場合に、当該電子マネー媒体に対して一意に付与された電子媒体識別子を取得する電子媒体識別子取得ステップと、
前記電子媒体識別子取得ステップにより取得された電子媒体識別子と、前記入場口において一旦停止した車両が通過する当該入場口を特定するための入場口情報とを対応付けて、前記有料道路管理装置に送信する入場口情報送信ステップと、
を含み、
前記出場側装置は、
前記出場口を通過する車両に搭載されている通信器から、当該通信器に対して一意に付与された通信器識別子を取得する出場時通信器識別子取得ステップと、
前記出場時通信器識別子取得ステップにより取得された通信器識別子と、当該通信器識別子に対応する通信器を搭載した車両によって通過される出場口を特定するための出場口情報とを対応付けて、前記有料道路管理装置に送信する出場口情報送信ステップと、
を含み、
前記有料道路管理装置は、
前記通信器識別子および前記電子媒体識別子をあらかじめ紐付けた紐付情報を記憶部に記憶する紐付情報記憶ステップと、
前記入場側装置から受信した電子媒体識別子および入場口情報を対応付けて記憶部に記憶する車両通行情報記憶ステップと、
前記紐付情報記憶ステップにより記憶部に記憶されている電子媒体識別子の中から、前記出場側装置から受信した通信器識別子に対応する電子媒体識別子を検索する電子媒体識別子検索ステップと、
前記車両通行情報記憶ステップにより記憶部に記憶されている入場口情報の中から、前記電子媒体識別子検索ステップにより検索された電子媒体識別子に対応する入場口情報を検索し、当該検索された入場口情報と、前記出場側装置から受信された出場口情報とに基づいて、前記入場口情報が示す入場口から前記出場口情報が示す出場口までに至る距離に応じた対距離料金と前記入場時料金との差額を算出し、当該算出された差額の返金先を前記電子媒体識別子検索ステップにより検索された電子媒体識別子に決定する返金先決定ステップと、
を含んだことを特徴とする料金収受管理方法。
【請求項５】
前記入場側装置は、
前記通信器識別子および前記電子媒体識別子をあらかじめ紐付けた紐付情報を記憶部に記憶する紐付情報記憶ステップと、
前記入場口において一旦停止した車両に搭載されている通信器に対して一意に付与された通信器識別子を取得する入場時通信器識別子取得ステップと、
前記入場時通信器識別子取得ステップにより取得された通信器識別子と、前記電子媒体識別子取得ステップにより取得された電子媒体識別子との対からなる紐付情報が、前記紐付情報記憶ステップにより記憶部に記憶されている紐付情報の中に存在するか否かを判定する紐付情報判定ステップと、
をさらに含み、
前記入場口情報送信ステップは、前記入場時通信器識別子取得ステップにより取得された通信器識別子と、前記電子媒体識別子取得ステップにより取得された電子媒体識別子との対からなる紐付情報が、前記紐付情報記憶ステップにより記憶部に記憶されている紐付情報の中に存在するものと前記紐付情報判定ステップにより判定された場合には、電子媒体識別子および入場口情報を前記有料道路管理装置に送信することを特徴とする請求項４に記載の料金収受管理方法。
【請求項６】
前記入場側装置は、
前記入場口において一旦停止した車両を特定するための車両特定情報を取得する入場時車両特定情報取得ステップをさらに含み、
前記入場口情報送信ステップは、前記電子媒体識別子取得ステップにより取得された電子媒体識別子、および前記入場口において一旦停止した車両が通過する当該入場口を特定するための入場口情報に対応付けて、さらに前記入場時車両特定情報取得ステップにより取得された車両特定情報を前記有料道路管理装置に送信し、
前記出場側装置は、
前記出場口を通過する車両を特定するための車両特定情報を取得する出場時車両特定情報取得ステップをさらに含み、
前記出場口情報送信ステップは、前記出場時通信器識別子取得ステップにより取得された通信器識別子、および当該通信器識別子に対応する通信器を搭載した車両によって通過される出場口を特定するための出場口情報に対応付けて、さらに前記出場時車両特定情報取得ステップにより取得された車両特定情報を前記有料道路管理装置に送信し、
前記車両通行情報記憶ステップは、前記入場側装置から受信した電子媒体識別子、入場口情報および車両特定情報を対応付けて記憶部に記憶し、
前記返金先決定ステップは、前記車両通行情報記憶ステップにより記憶部に記憶されている入場口情報の中から、前記電子媒体識別子検索ステップにより検索された電子媒体識別子に対応する車両特定情報を検索し、当該検索された車両特定情報と、前記出場側装置から受信した車両特定情報とが互いに一致する場合には、前記差額の返金先の決定を行うことを特徴とする請求項４または５に記載の料金収受管理方法。
【発明の詳細な説明】
【技術分野】
【０００１】
この発明は、有料道路の各入場口に設置される入場側装置および当該有料道路の各出場口に設置される出場側装置と、当該有料道路を管理する有料道路管理装置とをネットワークを介して接続して構成され、当該有料道路に入場する車両のドライバから支払われた入場時料金の収受を管理する料金収受管理システムおよび料金収受管理方法に関する。
【背景技術】
【０００２】
従来、有料道路の料金所に設置された受信機と自動車に搭載された車載器との間で通信を行い、自動車を止めずに有料道路の利用料金支払いなどを自動で処理する技術としてＥＴＣ（Ｅｌｅｃｔｒｏｎｉｃ  Ｔｏｌｌ  Ｃｏｌｌｅｃｔｉｏｎ）が存在する（例えば、特許文献１参照）。このＥＴＣは、料金の徴収に必要な経費（例えば、料金所の設置費や料金所に駐在する駐在員の人件費など）を削減するとともに、料金所で頻発される渋滞の緩和を目的として開発されたものであり、有料道路を利用する自動車のドライバの約７０％に普及している。
【０００３】
また、近年、走行距離に関わらず均一に設定した料金を有料道路の利用料金として徴収する均一料金制を導入していた各運営会社において、走行距離に応じた料金を徴収しようとする対距離料金制の導入が検討されており、仮に、有料道路の料金として走行距離に応じた料金を徴収するようになったとしても、経費削減や渋滞緩和等の目的達成を目指しつつ、料金支払いなどを自動で処理するシステムをＥＴＣにより構築することが考えられる。
【０００４】
【特許文献１】特開２００１−２５０１３７号公報
【発明の開示】
【発明が解決しようとする課題】
【０００５】
しかしながら、対距離料金制の導入に際して、有料道路を利用する全てのドライバにＥＴＣを使用させるのは難しく、また、ＥＴＣを利用しないドライバからの料金徴収が困難になるという問題点があった。すなわち、ＥＴＣを使用する場合は、有料道路の利用料金を決済するためのクレジットカードを用意する必要があるとともに、自動車に搭載する車載器に車検情報等をセットアップする必要があり、少なからず手間がかかることから、ドライバによってはＥＴＣの使用を断念することも十分に考えられ、有料道路を利用する全てのドライバにＥＴＣを使用させるのは難しいという問題点があった。
【０００６】
また、有料道路の入口にのみ料金所が設置されている現状のインフラを利用する形で対距離料金制が導入されると、ＥＴＣの利用しないドライバに対しては対距離での利用料金の徴収が困難になり、例えば、ＥＴＣを利用しないドライバから対距離で利用料金を徴収するために有料道路の出口に料金所を設置する場合には、莫大な経費がかかるとともに、渋滞緩和等の目的も達成することも難しくなるという問題点があった。
【０００７】
そこで、本発明は、上述した従来技術の課題を解決するためになされたものであり、対距離料金制度が導入されても、料金の徴収に必要な経費の削減や渋滞の緩和を果たしつつ、ＥＴＣの代わりとしてドライバが簡易に利用できるシステムを実現することが可能な料金収受管理システムおよび料金収受管理方法を提供することを目的とする。
【課題を解決するための手段】
【０００８】
上述した課題を解決し、目的を達成するため、請求項１に係る発明は、有料道路の各入場口に設置される入場側装置および前記有料道路の各出場口に設置される出場側装置と、前記有料道路を管理する有料道路管理装置とをネットワークを介して通信可能な状態に接続して構成され、前記有料道路に入場する車両のドライバから、貨幣価値をデジタルデータで表現した電子マネーが記憶されている電子マネー媒体を用いて、電子マネーで支払われた入場時料金の収受を管理する料金収受管理システムであって、前記入場側装置は、前記入場口において一旦停止した車両のドライバから電子マネー媒体を受領した場合に、有料道路を利用する際の最大料金に対応する電子マネーを前記入場時料金として当該電子マネー媒体から収受する料金収受手段と、前記入場口において一旦停止した車両のドライバから電子マネー媒体を受領した場合に、当該電子マネー媒体に対して一意に付与された電子媒体識別子を取得する電子媒体識別子取得手段と、前記電子媒体識別子取得手段により取得された電子媒体識別子と、前記入場口において一旦停止した車両が通過する当該入場口を特定するための入場口情報とを対応付けて、前記有料道路管理装置に送信する入場口情報送信手段と、を備え、前記出場側装置は、前記出場口を通過する車両に搭載されている通信器から、当該通信器に対して一意に付与された通信器識別子を取得する出場時通信器識別子取得手段と、前記出場時通信器識別子取得手段により取得された通信器識別子と、当該通信器識別子に対応する通信器を搭載した車両によって通過される出場口を特定するための出場口情報とを対応付けて、前記有料道路管理装置に送信する出場口情報送信手段と、を備え、前記有料道路管理装置は、前記通信器識別子および前記電子媒体識別子をあらかじめ紐付けた紐付情報を記憶する紐付情報記憶手段と、前記入場側装置から受信した電子媒体識別子および入場口情報を対応付けて記憶する車両通行情報記憶手段と、前記紐付情報記憶手段により記憶されている電子媒体識別子の中から、前記出場側装置から受信した通信器識別子に対応する電子媒体識別子を検索する電子媒体識別子検索手段と、前記車両通行情報記憶手段により記憶されている入場口情報の中から、前記電子媒体識別子検索手段により検索された電子媒体識別子に対応する入場口情報を検索し、当該検索された入場口情報と、前記出場側装置から受信された出場口情報とに基づいて、前記入場口情報が示す入場口から前記出場口情報が示す出場口までに至る距離に応じた対距離料金と前記入場時料金との差額を算出し、当該算出された差額の返金先を前記電子媒体識別子検索手段により検索された電子媒体識別子に決定する返金先決定手段と、を備えたことを特徴とする。
【０００９】
また、請求項２に係る発明は、上記の発明において、前記入場側装置は、前記通信器識別子および前記電子媒体識別子をあらかじめ紐付けた紐付情報を記憶する紐付情報記憶手段と、前記入場口において一旦停止した車両に搭載されている通信器に対して一意に付与された通信器識別子を取得する入場時通信器識別子取得手段と、前記入場時通信器識別子取得手段により取得された通信器識別子と、前記電子媒体識別子取得手段により取得された電子媒体識別子との対からなる紐付情報が、前記紐付情報記憶手段により記憶されている紐付情報の中に存在するか否かを判定する紐付情報判定手段と、をさらに備え、前記入場口情報送信手段は、前記入場時通信器識別子取得手段により取得された通信器識別子と、前記電子媒体識別子取得手段により取得された電子媒体識別子との対からなる紐付情報が、前記紐付情報記憶手段により記憶されている紐付情報の中に存在するものと前記紐付情報判定手段により判定された場合には、電子媒体識別子および入場口情報を前記有料道路管理装置に送信することを特徴とする。
【００１０】
また、請求項３に係る発明は、上記の発明において、前記入場側装置は、前記入場口において一旦停止した車両を特定するための車両特定情報を取得する入場時車両特定情報取得手段をさらに備え、前記入場口情報送信手段は、前記電子媒体識別子取得手段により取得された電子媒体識別子、および前記入場口において一旦停止した車両が通過する当該入場口を特定するための入場口情報に対応付けて、さらに前記入場時車両特定情報取得手段により取得された車両特定情報を前記有料道路管理装置に送信し、前記出場側装置は、前記出場口を通過する車両を特定するための車両特定情報を取得する出場時車両特定情報取得手段をさらに備え、前記出場口情報送信手段は、前記出場時通信器識別子取得手段により取得された通信器識別子、および当該通信器識別子に対応する通信器を搭載した車両によって通過される出場口を特定するための出場口情報に対応付けて、さらに前記出場時車両特定情報取得手段により取得された車両特定情報を前記有料道路管理装置に送信し、前記有料道路管理装置の前記車両通行情報記憶手段は、前記入場側装置から受信した電子媒体識別子、入場口情報および車両特定情報を対応付けて記憶し、前記返金先決定手段は、前記車両通行情報記憶手段により記憶されている入場口情報の中から、前記電子媒体識別子検索手段により検索された電子媒体識別子に対応する車両特定情報を検索し、当該検索された車両特定情報と、前記出場側装置から受信した車両特定情報とが互いに一致する場合には、前記差額の返金先の決定を行うことを特徴とする。
【００１１】
また、請求項４に係る発明は、有料道路の各入場口に設置される入場側装置および前記有料道路の各出場口に設置される出場側装置と、前記有料道路を管理する有料道路管理装置とをネットワークを介して通信可能な状態に接続して構成され、前記有料道路に入場する車両のドライバから、貨幣価値をデジタルデータで表現した電子マネーが記憶されている電子マネー媒体を用いて、電子マネーで支払われた入場時料金の収受を管理する料金収受管理方法であって、前記入場側装置は、前記入場口において一旦停止した車両のドライバから電子マネー媒体を受領した場合に、有料道路を利用する際の最大料金に対応する電子マネーを前記入場時料金として当該電子マネー媒体から収受する料金収受ステップと、前記入場口において一旦停止した車両のドライバから電子マネー媒体を受領した場合に、当該電子マネー媒体に対して一意に付与された電子媒体識別子を取得する電子媒体識別子取得ステップと、前記電子媒体識別子取得ステップにより取得された電子媒体識別子と、前記入場口において一旦停止した車両が通過する当該入場口を特定するための入場口情報とを対応付けて、前記有料道路管理装置に送信する入場口情報送信ステップと、を含み、前記出場側装置は、前記出場口を通過する車両に搭載されている通信器から、当該通信器に対して一意に付与された通信器識別子を取得する出場時通信器識別子取得ステップと、前記出場時通信器識別子取得ステップにより取得された通信器識別子と、当該通信器識別子に対応する通信器を搭載した車両によって通過される出場口を特定するための出場口情報とを対応付けて、前記有料道路管理装置に送信する出場口情報送信ステップと、を含み、前記有料道路管理装置は、前記通信器識別子および前記電子媒体識別子をあらかじめ紐付けた紐付情報を記憶部に記憶する紐付情報記憶ステップと、前記入場側装置から受信した電子媒体識別子および入場口情報を対応付けて記憶部に記憶する車両通行情報記憶ステップと、前記紐付情報記憶ステップにより記憶部に記憶されている電子媒体識別子の中から、前記出場側装置から受信した通信器識別子に対応する電子媒体識別子を検索する電子媒体識別子検索ステップと、前記車両通行情報記憶ステップにより記憶部に記憶されている入場口情報の中から、前記電子媒体識別子検索ステップにより検索された電子媒体識別子に対応する入場口情報を検索し、当該検索された入場口情報と、前記出場側装置から受信された出場口情報とに基づいて、前記入場口情報が示す入場口から前記出場口情報が示す出場口までに至る距離に応じた対距離料金と前記入場時料金との差額を算出し、当該算出された差額の返金先を前記電子媒体識別子検索ステップにより検索された電子媒体識別子に決定する返金先決定ステップと、を含んだことを特徴とする。
【００１２】
また、請求項５に係る発明は、上記の発明において、前記入場側装置は、前記通信器識別子および前記電子媒体識別子をあらかじめ紐付けた紐付情報を記憶部に記憶する紐付情報記憶ステップと、前記入場口において一旦停止した車両に搭載されている通信器に対して一意に付与された通信器識別子を取得する入場時通信器識別子取得ステップと、前記入場時通信器識別子取得ステップにより取得された通信器識別子と、前記電子媒体識別子取得ステップにより取得された電子媒体識別子との対からなる紐付情報が、前記紐付情報記憶ステップにより記憶部に記憶されている紐付情報の中に存在するか否かを判定する紐付情報判定ステップと、をさらに含み、前記入場口情報送信ステップは、前記入場時通信器識別子取得ステップにより取得された通信器識別子と、前記電子媒体識別子取得ステップにより取得された電子媒体識別子との対からなる紐付情報が、前記紐付情報記憶ステップにより記憶部に記憶されている紐付情報の中に存在するものと前記紐付情報判定ステップにより判定された場合には、電子媒体識別子および入場口情報を前記有料道路管理装置に送信することを特徴とする。
【００１３】
また、請求項６に係る発明は、上記の発明において、前記入場側装置は、前記入場口において一旦停止した車両を特定するための車両特定情報を取得する入場時車両特定情報取得ステップをさらに含み、前記入場口情報送信ステップは、前記電子媒体識別子取得ステップにより取得された電子媒体識別子、および前記入場口において一旦停止した車両が通過する当該入場口を特定するための入場口情報に対応付けて、さらに前記入場時車両特定情報取得ステップにより取得された車両特定情報を前記有料道路管理装置に送信し、前記出場側装置は、前記出場口を通過する車両を特定するための車両特定情報を取得する出場時車両特定情報取得ステップをさらに含み、前記出場口情報送信ステップは、前記出場時通信器識別子取得ステップにより取得された通信器識別子、および当該通信器識別子に対応する通信器を搭載した車両によって通過される出場口を特定するための出場口情報に対応付けて、さらに前記出場時車両特定情報取得ステップにより取得された車両特定情報を前記有料道路管理装置に送信し、前記車両通行情報記憶ステップは、前記入場側装置から受信した電子媒体識別子、入場口情報および車両特定情報を対応付けて記憶部に記憶し、前記返金先決定ステップは、前記車両通行情報記憶ステップにより記憶部に記憶されている入場口情報の中から、前記電子媒体識別子検索ステップにより検索された電子媒体識別子に対応する車両特定情報を検索し、当該検索された車両特定情報と、前記出場側装置から受信した車両特定情報とが互いに一致する場合には、前記差額の返金先の決定を行うことを特徴とする。
【発明の効果】
【００１４】
本発明によれば、有料道路を利用したドライバの対距離料金を電子マネーカードＩＤに紐づく情報から簡易に算出して、この電子マネーカードＩＤを超過料金の返金先として決定するので、対距離料金制度が導入されても、料金の徴収に必要な経費の削減や渋滞の緩和を果たしつつ、ＥＴＣの代わりとしてドライバに簡易に利用できるシステムを実現することが可能である。
【００１５】
また、本発明によれば、有料道路を利用するドライバに利用させる車載器に一意に付与された車載器ＩＤと、同じく有料道路を利用するドライバに利用させる電子マネーカードに一意に付与された電子マネーカードＩＤとを予め紐付けて管理するので、対距離料金制度が導入されても、料金の徴収に必要な経費の削減や渋滞の緩和を果たしつつ、ＥＴＣの代わりとしてドライバに簡易に利用できるシステムを実現することが可能であるだけでなく、例えば、車載器ＩＤの照合によって特定された入場口から出場口までの利用距離に応じて、有料道路を利用した車両の対距離料金を算出する場合、複数の車載器が車両に搭載されることによって発生し得る返却料金の二重取りといったドライバの不正を防止することが可能である。
【００１６】
また、本発明によれば、有料道路を利用するドライバに利用させる車載器に一意に付与された車載器ＩＤと、同じく有料道路を利用するドライバに利用させる電子マネーカードに一意に付与された電子マネーカードＩＤとの対からなる情報が予め管理する情報の中に存在するか否かを確認するので、超過料金の返金先の誤認を防止することが可能である。
【００１７】
また、本発明によれば、有料道路の入口および出口で、有料道路を利用するドライバの車両を特定する情報（例えば、ナンバープレートの情報）を取得して照合するので、有料道路を利用したドライバの車両を確実に特定することができ、超過料金の返金先の誤認をより確実に防止することが可能である。
【発明を実施するための最良の形態】
【００１８】
以下に添付図面を参照して、本発明に係る料金収受管理システムおよび料金収受管理方法を実施するための実施形態を詳細に説明する。なお、以下では、本発明に係る料金収受管理システムの一実施形態として実施例１を説明した後に、本発明に含まれる他の実施形態について他の実施例を説明する。
【実施例１】
【００１９】
以下の実施例１では、実施例１に係る料金収受管理システムの概要および特徴、料金収受管理システムの構成および処理を順に説明し、最後に実施例１による効果を説明する。
【００２０】
まず、以下では、図１〜図７を用いて、実施例１に係る料金収受管理システムを実現する場合に必要となる車載器などの装置が、車両のドライバに購入されて取り付けられるまでの実施イメージを説明する。図１は、出荷される製品のイメージ図である。図２は、ポータブルな車載器の形態例を示す図である。図３は、有料道路パスキットの販売イメージを示す図である。図４は、有料道路パスキットに含まれる車載器の車両への取り付けイメージを示す図である。図５〜図７は、車載器の車両への取り付けイメージを示す図である。
【００２１】
最初に、出荷される製品（以下、適宜「有料道路パスキット」と記す）のイメージから説明する。図１に示すように、実施例１に係る料金収受管理システムを運営する有料道路管理者などが、車載器、電子マネーカード、購入証明書および付属品を同梱した有料道路パスキットを出荷する。ここで、車載器は、ダッシュボードなど車両の所定位置に取り付けるための装置であり、上部に配置されたアンテナと、車両のシガーソケットから電源の供給を受け付けるためのシガーソケット挿入器とから構成されている。また、車載器には、車載器ＩＤが一意に付与されており、入場口を通過して有料道路に入場する場合や出場口を通過して有料道路から出場する場合に、車載器に配置されたアンテナを介して、入場口および出場口に設置されている路側装置に向けて発信される。
【００２２】
また、車載器は、ダッシュボードなど車両の所定位置に取り付ける構成を有するものに限られず、例えば、図２に示すように、アンテナ部と、シガーソケットに挿入するために挿入器とを一体化して構成され、アンテナ部と挿入部との間に駆動部を有し、車両のシガーソケットに挿入部を差し込むことで簡易に取り付け可能なポータブルなものを採用することもできる。なお、駆動部は、蝶番のように駆動方向を限定された構成や、ケーブル、ワイヤなど駆動方向を限定されずにフレキシブルに駆動可能な構成などを適宜採用することができる。
【００２３】
また、例えば、「有料道路パス」と呼ばれる電子マネーカードは、有料道路に設置されている入場口において、有料道路の入場時料金として設定された利用料金（最大料金）を支払うためのカードであり、貨幣価値をデジタルデータで表現した電子マネーを記憶して構成される。また、電子マネーカードには、電子マネーカードを特定するためのＩＤ（以下、適宜「電子マネーカードＩＤ」と記載する。）が一意に付与されており、車両が有料道路から出場するまでの利用距離に応じて、最終的に入場時料金に含まれる超過料金の返金先を示す返金先情報として利用される。
【００２４】
また、購入証明書は、有料道路パスキットの購入者が車載器ＩＤ、電子マネーカードＩＤおよびパスワードなどを確認するとともに、製品保証書を兼ねた書類である。
【００２５】
また、付属品として、車載器を車両のダッシュボード等に取り付けるための取り付け用アタッチメント、両面テープ、取扱説明書、利用約款、返却用送り状およびコードクランプなどが同梱されている。
【００２６】
次に、有料道路パスキットの販売イメージを説明する。例えば、図３に示すように、有料道路パスキットを購入しようとする有料道路の利用者が、有料道路管理会社や有料道路管理会社と提携しているコンビニエンスストア等に直接出向いて、現金により購入する店頭販売方式が考えられる。また、有料道路パスキットを購入しようとする有料道路の利用者が、有料道路管理の窓口に注文して近隣のコンビニエンスストア等に取りに行く窓口取次ぎ方式や、インターネットや電話などより注文して送付してもらう通信販売方式等も考えられる。
【００２７】
続いて、有料道路パスキットに含まれる車載器の車両への取り付けイメージを説明する。図４に示すように、有料道路パスキットの購入者は、取り付け用アタッチメントと車載器とを組み合わせた後、両面テープでダッシュボードに貼り付ける。そして、車両のセンターコンソールに備えられたシガーソケットに挿入器を差し込んで取り付けを完了する。
【００２８】
また、図２に示すようなポータブルな車載器を採用する場合には、車両のシガーソケット（図５参照）に挿入器を差し込むことで取り付けを完了する（図６参照）。なお、ポータブルな車載器は、図７に示すように、アンテナ部と挿入部との間に設けられた駆動部により、ドライバによってフレキシブルに折り曲げ可能である。このようにすることで、例えば、車載器をシガーソケットに差し込んだ時に、シフトレバーの操作に邪魔になる場合には、邪魔にならないようにドライバが車載器を適宜折り曲げることが可能であるとともに、電波の受信状況が良好な位置に調節することが可能である。
【００２９】
このようにして、有料道路パスキットを購入した車両のドライバにより、実施例１に係る料金収受管理システムを実現する上で必要となる車載器が車両に取り付けられる。
【００３０】
［料金収受管理システムの概要および特徴（実施例１）］
ここから、有料道路パスキットを購入して車載器を取り付けた車両のドライバが有料道路を利用する場合について、図を参照しつつ、実施例１に係る料金収受管理システムの概要および特徴を説明する。図８および図９は、実施例１に係る料金収受管理システムの概要を説明するための図である。
【００３１】
実施例１に係る料金収受管理システムは、有料道路の各入場口に設置される入場側装置および前記有料道路の各出場口に設置される出場側装置と、前記有料道路を管理する有料道路管理装置とをネットワークを介して通信可能な状態に接続して構成され、前記有料道路に入場する車両のドライバから、貨幣価値をデジタルデータで表現した電子マネーが記憶されている電子マネー媒体を用いて、電子マネーで支払われた入場時料金の収受を管理することを概要とする。
【００３２】
そして、実施例１に係る料金収受管理システムは、対距離料金制度が導入されても、料金の徴収に必要な経費の削減や渋滞の緩和を果たしつつ、ＥＴＣの代わりとしてドライバに簡易に利用できるシステムを実現することが可能である点に主たる特徴がある。
【００３３】
以下に、図８を用いて、実施例１に係る料金収受管理システムの主たる特徴を簡単に説明する。
【００３４】
同図に示すように、入場ゲートに設置された路側装置（入場側、図示せず）は、入場ゲートにおいて一旦停止する車両に搭載された車載器から送信される車載器ＩＤを受信して取得し、料金所に駐在する収受員は、入場ゲートにおいて一旦停止した車両のドライバから受領した電子マネーカードを料金所に設置された料金所ブース端末に挿入し、有料道路を利用する際の最大料金に対応する電子マネーを入場時料金として電子マネーカードから引き落して料金を収受する。（図８の（１）参照）。
【００３５】
なお、電子マネーカードから入場時料金を引き落とした料金所ブース端末は、料金の収受が完了した旨の信号を路側装置（入場側）に送信する。そして、料金所に駐在する収受員は、料金所ブース端末から電子マネーカードを取り出してドライバに返却する。
【００３６】
車両のドライバは、収受員から返却された電子マネーカードを受領すると、車両を発信させて入場ゲートから有料道路に入場する。
【００３７】
路側装置（入場側）は、有料道路管理センタサーバに対して、車載器ＩＤおよび入口情報（車両が通過する入場ゲートに関する情報）を含む入場時情報を送信する（図８の（２）参照）。
【００３８】
車両が有料道路の走行を終えて所定の出場ゲートを通過して出場すると、路側装置（出場側、図示せず）は、有料道路管理センタサーバに対して、車載器ＩＤおよび出口情報（車両が通過する出場ゲートに関する情報）を含む出場時情報を送信する（図８の（３）参照）。
【００３９】
次に、有料道路管理センタサーバは、路側装置（入場側）から受信した入場時情報、および路側装置（出場側）から受信した出場時情報を用いて超過料金算出処理を行う（図８の（４）参照）。具体的に説明すると、有料道路管理センタサーバは、有料道路パスキットとして出荷した車載器の車載器ＩＤと、超過料金の返金先を示す返金先情報として利用する電子マネーカードＩＤとを紐づけた紐付情報を予め管理する。
【００４０】
そして、有料道路管理センタサーバは、路側装置（入場側）から受信した入場時情報、および路側装置（出場側）から受信した出場時情報の中から、車載器ＩＤが互いに一致する入場時情報および出場時情報を検索し、検索された入場時情報に含まれる入口情報が示す入場口から、出場時情報に含まれる出口情報が示す出場口までに至る有料道路の利用距離に応じた対距離料金と、入場時料金として収受した有料道路を利用する際の最大料金との差額を超過料金として算出する。
【００４１】
超過料金の算出後、有料道路管理センタサーバは、予め管理する紐付情報の中から、超過料金の算出に用いられた入場時情報および出場時情報に含まれている同一の車載器ＩＤに紐付けられた電子マネーカードＩＤを検索する。検索を終えると、先ほど算出した超過料金の情報とともに、検索して読み出した電子マネーカードＩＤを超過料金情報として返金処理センタサーバに送信する（図８の（５）参照）。
【００４２】
そして、返金処理センタサーバは、有料道路管理センタサーバから超過料金情報を受信して返金処理を行う（図８の（６）参照）。具体的に説明すると、返金処理センタサーバは、超過料金の情報および超過料金の返金先の情報である電子マネーカードＩＤを超過料金情報として有料道路管理センタサーバから受信すると、例えば、有料道路管理会社と提携しているコンビニエンスストアの店舗端末に超過料金相当の電子マネーデータを送付するなどして、電子マネーカードＩＤに対応する電子マネーカードに対して、超過料金の情報から把握される超過料金分の電子マネーを返金する。
【００４３】
このようなことから、実施例１に係る料金収受管理システムは、対距離料金制度が導入されても、料金の徴収に必要な経費の削減や渋滞の緩和を果たしつつ、ＥＴＣの代わりとしてドライバに簡易に利用できるシステムを実現することが可能である。
【００４４】
ところで、上述してきたように、車載器ＩＤにより特定された入場口から出場口までの利用距離に応じて対距離料金を算出する場合、返却料金の二重取りといったドライバの不正が発生することが考えられる。
【００４５】
すなわち、仮に、複数の車載器が車両に搭載されている場合には、各車載器ＩＤごとに対距離料金が算出され、利用時料金と対距離料金との差額である超過料金を各車載器ＩＤに返金先として紐づけられた電子マネーカードＩＤに対して返金されることになるので、返却料金の二重取りといったドライバの不正が発生することが考えられる。
【００４６】
しかしながら、実施例１に係る料金収受管理システムは、上述した主たる特徴を保持しつつ、上記の問題点を防止することが可能である。そこで、以下では、図９を用いて、上記の問題点を防止するために、上述した主たる特徴とは異なる点を説明する。
【００４７】
図８の（１）で説明したのと同様に、入場ゲートに設置された路側装置（入場側）は、車載器ＩＤを取得し、料金所に駐在する収受員は、車両のドライバから受領した電子マネーカードを料金所に設置された料金所ブース端末に挿入し、有料道路を利用する際の最大料金に対応する電子マネーを入場時料金として電子マネーカードから引き落して料金を収受する。（図９の（１）参照）。
【００４８】
ここで、電子マネーカードから入場時料金を引き落とした料金所ブース端末は、さらに、電子マネーカードに一意に付与された電子マネーカードＩＤを読み取って、料金の収受が完了した旨の信号とともに路側装置（入場側）に送信する。
【００４９】
路側装置（入場側）は、有料道路管理センタサーバに対して、料金所ブース端末から受信した電子マネーカードＩＤ、および入口情報を含む入場時情報を送信する（図９の（２）参照）。
【００５０】
有料道路管理センタサーバは、路側装置（入場側）から入場時情報を受信すると、入場時情報に含まれる電子マネーカードＩＤおよび入口情報を車両走行情報として登録する（図９の（３）参照）。
【００５１】
続いて、図８の（３）で説明したのと同様に、路側装置（出場側）は、有料道路管理センタサーバに対して、車載器ＩＤおよび出口情報（車両が通過する出場ゲートに関する情報）を含む出場時情報を送信する（図９の（４）参照）。
【００５２】
次に、有料道路管理センタサーバは、路側装置（出場側）から出場時情報を受信すると、車両走行情報内の対応するレコードを検索する（図９の（５）参照）。具体的に説明すると、有料道路管理センタサーバは、図８の（４）で説明したのと同様に、有料道路パスキットとして出荷した車載器の車載器ＩＤと、超過料金の返金先を示す返金先情報として利用する電子マネーカードＩＤとを紐づけた紐付情報を予め管理する。そして、有料道路管理センタサーバは、路側装置（出場側）から出場時情報を受信すると、出場時情報に含まれる車載器ＩＤに紐づけられた電子マネーカードＩＤを紐付情報の中から取得し、取得した電子マネーカードＩＤに対応するレコードを車両走行情報内から検索して、最終的には、検索されたレコード内の入口情報を取得する。
【００５３】
続いて、有料道路管理センタサーバは、車両走行情報内から取得した入口情報、および路側装置（出場側）から受信した出場時情報に含まれる出口情報を用いて超過料金算出処理を行う（図９の（６）参照）。具体的に説明すると、有料道路管理センタサーバは、車両走行情報内から取得した入口情報が示す入場口から、出場時情報に含まれる出口情報が示す出場口までに至る有料道路の利用距離に応じた対距離料金と、入場時料金として収受した有料道路を利用する際の最大料金との差額を超過料金として算出する。
【００５４】
超過料金の算出後、有料道路管理センタサーバは、出場時情報に含まれる車載器ＩＤに紐づくものとして紐付情報の中から取得されるとともに、車両走行情報内のレコード検索に用いられた電子マネーカードＩＤを超過料金の返金先として決定し、この電子マネーカードＩＤおよび超過料金の情報を返金処理センタサーバに送信する（図９の（７）参照）。
【００５５】
なお、図９の（８）は、図８の（６）と同様であるので、説明は省略する。
【００５６】
上述してきたように、実施例１に係る料金収受管理システムは、対距離料金制度が導入されても、料金の徴収に必要な経費の削減や渋滞の緩和を果たしつつ、ＥＴＣの代わりとしてドライバに簡易に利用できるシステムを実現することが可能であるだけでなく、例えば、車載器ＩＤの照合によって特定された入場口から出場口までの利用距離に応じて、有料道路を利用した車両の対距離料金を算出する場合、複数の車載器が車両に搭載されることによって発生し得る返却料金の二重取りといったドライバの不正を防止することが可能である。
【００５７】
［料金収受管理システムの構成（実施例１）］
次に、図１０〜図１５を用いて、実施例１に係る料金収受管理システムの構成を説明する。図１０は、実施例１に係る車載器の構成を示すブロック図である。図１１は、実施例１に係る路側装置（入場側）、料金所ブース端末および路側装置（出場側）の構成を示すブロック図である。図１２は、実施例１に係る有料道路管理センタサーバおよび返金処理センタサーバの構成を示すブロック図である。図１３は、実施例１に係る紐付情報の構成例を示す図である。図１４は、実施例１に係る車両走行情報の構成例を示す図である。図１５は、実施例１に係る処理履歴の構成例を示す図である。
【００５８】
実施例１に係る料金収受管理システムは、図１１〜図１２の中のいずれかに示されるように、有料道路の各入場口に設置される路側装置（入場側）２０と、料金所ブース端末３０と、有料道路の各出場口に設置される路側装置（出場側）４０と、有料道路を管理する有料道路管理センタサーバ５０と、返金処理センタサーバ６０とをネットワーク１を介して通信可能状態に接続して構成される。
【００５９】
まず、図１０を用いて、実施例１に係る車載器の構成を説明する。同図に示すように、この車載器１０は、通信制御部１１と、記憶部１２と、制御部１３とから構成される。
【００６０】
このうち、通信制御部１１は、路側装置（入場側）２０または路側装置（出場側）４０との間でやり取りする各種情報に関する通信を制御する。
【００６１】
記憶部１２は、制御部１３による各種処理に必要なデータ等を記憶する記憶部であり、特に本発明に密接に関連するものとしては、車載器情報記憶部１２ａを備える。この車載器情報記憶部１２ａは、車載器に一意に付与された車載器ＩＤを記憶して構成される。
【００６２】
制御部１３は、所定の制御プログラム、各種の処理手順などを規定したプログラムおよび所要データを格納するための内部メモリを有し、これらによって種々の処理を実行する処理部であり、特に本発明に密接に関連するものとしては、情報送信部１３ａを備える。
【００６３】
このうち、情報送信部１３ａは、通信制御部１１を介して、路側装置（出場側）４０に各種情報を送信する処理部である。具体的には、情報送信部１３ａは、有料道路の出場ゲートを車両が通過する際に、車載器情報記憶部１２ａから車載器ＩＤを読み出して路側装置（出場側）４０に送信する。
【００６４】
次に、図１１を用いて、実施例１に係る路側装置（入場側）２０、料金所ブース端末３０および路側装置（出場側）４０の構成を説明する。なお、路側装置（入場側）２０および料金所ブース端末３０は、特許請求の範囲に記載の「入場側装置」に対応し、路側装置（出場側）４０は、同じく特許請求の範囲に記載の「出場側装置」に対応する。
【００６５】
まず、路側装置（入場側）２０は、通信制御部２１と、ネットワーク通信制御部２２と、記憶部２３と、制御部２４とから構成される。このうち、通信制御部２１は、車両に搭載された車載器１０との間でやり取りする各種情報に関する通信（無線通信や赤外線通信による通信など）を制御する。また、ネットワーク通信制御部２２は、料金所ブース端末３０または有料道路管理センタサーバ５０との間でやり取りする各種情報に関するネットワーク通信を制御する。
【００６６】
記憶部２３は、制御部２４による各種処理に必要なデータ等を記憶する記憶部であり、特に本発明に密接に関連するものとしては、情報記憶部２３ａを備える。この情報記憶部２３ａは、自己が設置されている車両が通過するための入場ゲートに関する入口情報を記憶する。
【００６７】
制御部２４は、所定の制御プログラム、各種の処理手順などを規定したプログラムおよび所要データを格納するための内部メモリを有し、これらによって種々の処理を実行する処理部であり、特に本発明に密接に関連するものとしては、情報送受信部２４ａおよび入場時情報生成部２４ｂを備える。なお、情報送受信部２４ａおよび入場時情報生成部２４ｂは、特許請求の範囲に記載の「入場口情報送信手段」に対応する。
【００６８】
このうち、情報送受信部２４ａは、通信制御部２１またはネットワーク通信制御部２２を介して、車載器１０、料金所ブース端末３０または有料道路管理センタサーバ５０との間で各種情報を送受信する処理部である。具体的には、ネットワーク通信制御部２２を介して料金所ブース端末３０から、電子マネーカードＩＤとともに有料道路に入場する車両の料金収受が完了した旨の信号を受信すると、後述する入場時情報生成部２４ｂにより生成された入場時情報を有料道路管理センタサーバ５０に送信する。
【００６９】
入場時情報生成部２４ｂは、有料道路管理センタサーバ５０に送信する入場時情報を生成する処理部である。具体的には、料金所ブース端末３０から送信された電子マネーカードＩＤ、および有料道路に入場する車両の料金収受が完了した旨の信号が情報送受信部２４ａにより受信されると、情報記憶部２３ａから読み出した入口情報および電子マネーカードＩＤからなる入場時情報を生成して情報送受信部２４ａに出力する。
【００７０】
また、料金所ブース端末３０は、通信制御Ｉ／Ｆ部３１と、入力部３２と、出力部３３と、カードリーダ３４と、制御部３５とから構成される。このうち、通信制御Ｉ／Ｆ部３１は、路側装置（入場側）２０との間でやり取りする各種情報に関する通信を制御する。なお、カードリーダ３４は、特許請求の範囲に記載の「電子媒体識別子取得手段」に対応する。
【００７１】
入力部３２は、各種の情報の入力を受付ける入力受け付け部であり、キーボードやマウス、マイクを備えて構成され、例えば、料金所に駐在する収受員などから各種の情報の入力を受け付ける。出力部３３は、各種の情報を出力する出力部であり、モニタ（若しくはディスプレイ、タッチパネル）やスピーカを備えて構成され、例えば、後述するカードリーダ３４により読取られた電子マネーカードの残高情報などを表示出力する。
【００７２】
カードリーダ３４は、料金所で停車した車両のドライバから収受員により受領された電子マネーカードから情報を読取る読取部であり、具体的には、例えば、料金所に駐在する収受員により、入場ゲートにおいて一旦停止した車両のドライバから受領した電子マネーカードが挿入されると、電子マネーカードの中に記憶されている電子マネーカードＩＤおよび電子マネーの残高情報を読取って、後述する料金収受処理部３５ａに出力する。
【００７３】
制御部３５は、所定の制御プログラム、各種の処理手順などを規定したプログラムおよび所要データを格納するための内部メモリを有し、これらによって種々の処理を実行する処理部であり、特に本発明に密接に関連するものとしては、料金収受処理部３５ａを備える。なお、料金収受処理部３５ａは、特許請求の範囲に記載の「料金収受手段」に対応する。
【００７４】
このうち、料金収受処理部３５ａは、有料道路の料金所（入場ゲート）において一旦停止した車両のドライバの電子マネーカードから、入場時料金として有料道路を利用する際の最大料金に対応する電子マネーを収受する処理部である。
【００７５】
具体的には、料金収受処理部３５ａは、電子マネーカードＩＤおよび電子マネーの残高情報をカードリーダ３４から受け付けると、入場時料金を引き落とし可能な残高があるか否か判定する。判定の結果、入場時料金を引き落とし可能な残高があるものと判定された場合には、電子マネーカードから有料道路を利用する際の最大料金に対応する電子マネーを入場時料金として電子マネーカードから引き落として、電子マネーの残高情報とともに受け付けられた電子マネーカードＩＤと、料金の収受が完了した旨の信号とを路側装置（入場側）２０に送信する。
【００７６】
なお、料金収受処理部３５ａにより入場時料金を引き落とし可能な残高がないものと判定された場合には、料金収受処理部３５ａは、出力部３３を介して、料金所に駐在する収受員に不足金額を通知する。料金所に駐在する収受員は、車両のドライバに対して不足料金を通知する。不足料金の通知を受けた車両のドライバは、例えば、収受員に対して現金などで料金を支払う。料金所に駐在する収受員は、ドライバから受け付けた現金を入力部３２を介して料金所ブース端末３０に入力する。入力部３２を介して現金の入力を受け付けた料金所ブース端末３０の料金収受処理部３５ａは、ドライバから支払われた現金に相当する電子マネーを電子マネーカードにチャージした後、チャージ後の電子マネーカードから入場時料金分の電子マネーを引き落とし、カードリーダ３４から受け付けた電子マネーカードＩＤと、料金の収受が完了した旨の信号とを路側装置（入場側）２０に送信する。
【００７７】
また、路側装置（出場側）４０は、通信制御部４１と、ネットワーク通信制御部４２と、記憶部４３と、制御部４４とから構成される。このうち、通信制御部４１は、車両に搭載された車載器１０との間でやり取りする各種情報に関する通信（無線通信や赤外線通信による通信など）を制御する。また、ネットワーク通信制御部４２は、有料道路管理センタサーバ５０との間でやり取りする各種情報に関するネットワーク通信を制御する。
【００７８】
記憶部４３は、制御部４４による各種処理に必要なデータ等を記憶する記憶部であり、特に本発明に密接に関連するものとしては、情報記憶部４３ａを備える。この情報記憶部４３ａは、自己が設置されている車両が通過するための出場ゲートに関する出口情報を記憶する。
【００７９】
制御部４４は、所定の制御プログラム、各種の処理手順などを規定したプログラムおよび所要データを格納するための内部メモリを有し、これらによって種々の処理を実行する処理部であり、特に本発明に密接に関連するものとしては、情報送受信部４４ａおよび出場時情報生成部４４ｂを備える。なお、情報送受信部４４ａおよび出場時情報生成部４４ｂは、特許請求の範囲に記載の「出場時通信器識別子取得手段」および「出場口情報送信手段」に対応する。
【００８０】
このうち、情報送受信部４４ａは、通信制御部４１またはネットワーク通信制御部４２を介して、車載器１０または有料道路管理センタサーバ５０との間で各種情報を送受信する処理部である。具体的には、情報送受信部４４ａは、通信制御部４１を介して、出場ゲートを通過する車両に搭載された車載器から車載器ＩＤを受信し、また、ネットワーク通信制御部４２を介して、後述する出場時情報生成部４４ｂにより生成された出場時情報を有料道路管理センタサーバ５０に送信する。
【００８１】
出場時情報生成部４４ｂは、有料道路管理センタサーバ５０に送信する出場時情報を生成する処理部である。具体的には、情報送受信部４４ａにより車載器ＩＤが受信されると、この車載器ＩＤおよび情報記憶部４３ａから読み出した出口情報からなる出場時情報を生成して情報送受信部４４ａに出力する。
【００８２】
続いて、図１２を用いて、実施例１に係る有料道路管理センタサーバ５０および返金処理センタサーバ６０の構成を説明する。なお、有料道路管理センタサーバ５０は、特許請求の範囲に記載の「有料道路管理装置」に対応する。
【００８３】
まず、有料道路管理センタサーバ５０は、通信制御Ｉ／Ｆ部５１と、入力部５２と、出力部５３と、記憶部５４と、制御部５５とから構成される。このうち、通信制御Ｉ／Ｆ部５１は、路側装置（入場側）２０または路側装置（出場側）４０との間でやり取りする各種情報に関する通信を制御する。
【００８４】
入力部５２は、各種の情報の入力を受付ける入力受け付け部であり、キーボードやマウス、マイクを備えて構成され、例えば、有料道路管理センタサーバ５０の管理者などから各種情報の入力を受け付ける。出力部５３は、各種の情報を出力する出力部であり、モニタ（若しくはディスプレイ、タッチパネル）やスピーカを備えて構成され、例えば、後述する車両走行情報記憶部５４ｂにより記憶されている車両走行情報などを表示出力する。
【００８５】
記憶部５４は、制御部５５による各種処理に必要なデータ等を記憶する記憶部であり、特に本発明に密接に関連するものとしては、紐付情報記憶部５４ａおよび車両走行情報記憶部５４ｂを備える。なお、紐付情報記憶部５４ａは、特許請求の範囲に記載の「紐付情報記憶手段」に対応し、車両走行情報記憶部５４ｂは、同じく特許請求の範囲に記載の「車両通行情報記憶手段」に対応する。
【００８６】
このうち、紐付情報記憶部５４ａは、超過料金の返金先を示す返金先情報を記憶する記憶部である。具体的には、図１３に例示するように、有料道路パスキットとして出荷した車載器の車載器ＩＤ（例えば、「ＳＫ００００１２３４」）と、超過料金の返金先を示す返金先情報として利用する電子マネーカードＩＤ（例えば、「２００８  １０１７  ０００１  ０００９」）とを紐づけた紐付情報を予め記憶して構成される。
【００８７】
車両走行情報記憶部５４ｂは、後述する入出場時情報受信部５５ａにより受信された情報および超過料金算出処理部５５ｂによる処理に関する情報を記憶する記憶部である。具体的には、図１４に例示するように、電子マネーカードＩＤと、利用年月日時と、入口情報と、出口情報と、利用料金（対距離料金）と、返金額（超過料金）とを対応付けて記憶して構成される。
【００８８】
制御部５５は、所定の制御プログラム、各種の処理手順などを規定したプログラムおよび所要データを格納するための内部メモリを有し、これらによって種々の処理を実行する処理部であり、特に本発明に密接に関連するものとしては、入出場時情報受信部５５ａ、超過料金算出処理部５５ｂおよび返金処理情報受信部５５ｃを備える。なお、入出場時情報受信部５５ａおよび超過料金算出処理部５５ｂは、特許請求の範囲に記載の「電子媒体識別子検索手段」および「返金先決定手段」に対応する。
【００８９】
このうち、入出場時情報受信部５５ａは、路側装置（入場側）２０および路側装置（出場側）４０から入場時情報および出場時情報をそれぞれ受信する処理部である。具体的には、入出場時情報受信部５５ａは、入場時情報として電子マネーカードＩＤおよび入口情報を路側装置（入場側）２０から受信し、また、出場時情報として車載器ＩＤおよび出口情報を路側装置（出場側）４０から受信する。
【００９０】
また、入出場時情報受信部５５ａは、路側装置（入場側）２０から入場時情報を受信すると、入場時情報に含まれる電子マネーカードＩＤおよび入口情報を車両走行情報として車両走行情報記憶部５４ｂに登録する。
【００９１】
超過料金算出処理部５５ｂは、車両が有料道路から出場するまでの利用距離に応じて、最終的に入場時料金に含まれることとなる超過料金を算出する処理部である。具体的には、超過料金算出処理部５５ｂは、例えば、路側装置（出場側）４０から出場時情報を受信すると、出場時情報に含まれる車載器ＩＤに紐づけられた電子マネーカードＩＤを紐付情報の中から取得し、取得した電子マネーカードＩＤに対応するレコードを車両走行情報内から検索して、最終的には、検索されたレコード内の入口情報を取得する。
【００９２】
そして、超過料金算出処理部５５ｂは、車両走行情報内から取得した入口情報、および路側装置（出場側）４０から受信した出場時情報に含まれる出口情報を用いて超過料金算出処理を行う。具体的に説明すると、超過料金算出処理部５５ｂは、車両走行情報内から取得した入口情報が示す入場口から、出場時情報に含まれる出口情報が示す出場口までに至る有料道路の利用距離に応じた対距離料金と、入場時料金として収受した有料道路を利用する際の最大料金との差額を超過料金として算出する。
【００９３】
超過料金の算出後、超過料金算出処理部５５ｂは、出場時情報に含まれる車載器ＩＤに紐づくものとして紐付情報の中から取得されるとともに、車両走行情報内のレコード検索に用いられた電子マネーカードＩＤを超過料金の返金先として決定し、この電子マネーカードＩＤおよび超過料金の情報を返金処理センタサーバ６０に送信する。
【００９４】
また、超過料金算出処理部５５ｂは、超過料金の返金先として決定された電子マネーカードＩＤに対応付けて、路側装置（出場側）４０から受信した出場時情報に含まれる出口情報、対距離料金および超過料金を車両走行情報記憶部５４ｂに登録する。
【００９５】
なお、超過料金算出処理部５５ｂは、出場時情報に含まれる車載器ＩＤに紐づけられた電子マネーカードＩＤを紐付情報の中から取得できなかった場合、あるいは、紐付情報の中から取得した電子マネーカードＩＤに対応するレコードを車両走行情報内から検索できなかった場合には、超過料金算出処理を行わない。
【００９６】
また、超過料金算出処理部５５ｂは、上述したように、路側装置（出場側）４０からの出場時情報の受信に応じて超過料金算出処理を実行するようにしてもよいし、入場時情報および出場時情報を内部的に保存しておいて、装置管理者などの処理開始指示に応じて超過料金算出処理を実行するようにしてもよい。
【００９７】
返金処理情報受信部５５ｃは、電子マネーカードＩＤおよび返金額の情報からなる返金処理情報を返金処理センタサーバ６０から受信して、返金額の情報を車両走行情報記憶部５４ｂに登録する。
【００９８】
返金処理センタサーバ６０は、通信制御Ｉ／Ｆ部６１と、入力部６２と、出力部６３と、記憶部６４と、制御部６５とから構成される。このうち、通信制御Ｉ／Ｆ部６１は、有料道路管理センタサーバ５０との間でやり取りする各種情報に関する通信を制御する。
【００９９】
入力部６２は、各種の情報の入力を受付ける入力受け付け部であり、キーボードやマウス、マイクを備えて構成され、例えば、返金処理センタサーバ６０の管理者などから処理開始指示の入力を受け付ける。出力部６３は、各種の情報を出力する出力部であり、モニタ（若しくはディスプレイ、タッチパネル）やスピーカを備えて構成され、例えば、後述する返金処理履歴記憶部６４ａにより記憶されている処理履歴の情報などを表示出力する。
【０１００】
記憶部６４は、制御部６５による各種処理に必要なデータ等を記憶する記憶部であり、特に本発明に密接に関連するものとしては、返金処理履歴記憶部６４ａを備える。この返金処理履歴記憶部６４ａは、後述する返金処理部６５ｂにより処理履歴を記憶する記憶部である。具体的には、図１５に例示するように、処理年月日、電子マネーカードＩＤおよび返金額の情報を対応付けて記憶して構成される。
【０１０１】
制御部６５は、所定の制御プログラム、各種の処理手順などを規定したプログラムおよび所要データを格納するための内部メモリを有し、これらによって種々の処理を実行する処理部であり、特に本発明に密接に関連するものとしては、返金処理情報送受信部６５ａおよび返金処理部６５ｂを備える。
【０１０２】
このうち、返金処理情報送受信部６５ａは、入場時料金として収受した有料道路を利用する際の最大料金との差額である超過料金情報、および超過料金の返金先を示す情報である電子マネーカードＩＤを有料道路管理センタサーバ５０から受信する処理部であり、受信した超過料金の情報および電子マネーカードＩＤを返金処理部６５ｂに出力する。
【０１０３】
返金処理部６５ｂは、返金処理情報送受信部６５ａから超過料金の情報および超過料金の返金先を示す情報である電子マネーカードＩＤを受け付けると、この電子マネーカードＩＤに基づいて超過料金を返金する返金処理を行う処理部である。
【０１０４】
具体的には、返金処理部６５ｂは、超過料金の返金先である電子マネーカードＩＤに対応する電子マネーカードに対して、超過料金の情報から把握される超過料金分の電子マネーを返金する。例えば、有料道路管理会社と提携しているコンビニエンスストアの店舗端末に電子マネーのデータを送付して返金する。そして、処理年月日、電子マネーカードＩＤおよび返金額の情報からなる処理結果を返金処理履歴記憶部６４ａに登録する。
【０１０５】
なお、返金処理情報送受信部６５ａは、返金処理部６５ｂによる返金処理結果として、電子マネーカードＩＤおよび返金額の情報を有料道路管理センタサーバ５０に送信する。
【０１０６】
また、有料道路管理センタサーバ５０および返金処理センタサーバ６０は、既知のパーソナルコンピュータ、ワークステーションなどの情報処理装置に、上記した各機能を搭載することによって実現することができる。
【０１０７】
［料金収受管理システムによる処理（実施例１）］
次に、図１６および図１７を用いて、実施例１に係る料金収受管理システムによる処理を説明する。図１６および図１７は、実施例１に係る料金収受管理システムによる処理の流れを示すシーケンス図である。
【０１０８】
図１６に示すように、有料道路の入場ゲートにおいて一旦停止する車両のドライバは、料金所に駐在する収受員に対して電子マネーカードを提示する（ステップＳ１６０１）。料金所に駐在する収受員は、車両のドライバから電子マネーカードを受領すると（ステップＳ１６０２）、料金所ブース端末３０に電子マネーカードを挿入する。
【０１０９】
料金所ブース端末３０は、料金所に駐在する収受員により電子マネーカードが挿入されると、料金所ブース端末３０は、電子マネーカードの中に記憶されている電子マネーカードＩＤおよび電子マネーの残高情報を読取り（ステップＳ１６０３）、入場時料金を引き落とし可能な残高があるか否か判定する（ステップＳ１６０４）。
【０１１０】
判定の結果、入場時料金を引き落とし可能な残高があるものと判定した場合には（ステップＳ１６０４肯定）、電子マネーカードから有料道路を利用する際の最大料金に対応する電子マネーを入場時料金として電子マネーカードから引き落す（ステップＳ１６０５）。
【０１１１】
一方、料金所ブース端末３０は、入場時料金を引き落とし可能な残高がないものと判定した場合には（ステップＳ１６０４否定）、料金所に駐在する収受員に不足金額を通知し、料金所に駐在する収受員は、車両のドライバに対して不足料金を通知する（ステップＳ１６０６）。
【０１１２】
不足料金の通知を受けた車両のドライバは、例えば、収受員に対して現金などで料金を支払う（ステップＳ１６０７）。料金所に駐在する収受員は、ドライバから受け付けた現金を入力部３２を介して料金所ブース端末３０に入力し、入力部３２を介して現金の入力を受け付けた料金所ブース端末３０は、ドライバから支払われた現金に相当する電子マネーを電子マネーカードにチャージした後（ステップＳ１６０８）、チャージ後の電子マネーカードから入場時料金分の電子マネーから引き落とす（ステップＳ１６０５）。
【０１１３】
そして、料金所ブース端末３０は、車両のドライバから受領した電子マネーカードから先に読取った電子マネーカードＩＤと、料金の収受が完了した旨の信号とを路側装置（入場側）２０に送信する（ステップＳ１６０９）。
【０１１４】
路側装置（入場側）２０は、電子マネーカードＩＤと、料金の収受が完了した旨の信号とを料金所ブース端末３０から受信すると（ステップＳ１６１０）、入場ゲートに関する入口情報および電子マネーカードＩＤからなる入場時情報を生成する（ステップＳ１６１１）。そして、路側装置（入場側）２０は、生成した入場時情報を有料道路管理センタサーバ５０に送信する（ステップＳ１６１２）。
【０１１５】
有料道路管理センタサーバ５０は、路側装置（入場側）２０から入場時情報を受信すると（ステップＳ１６１３）、入場時情報として受信した電子マネーカードＩＤおよび入口情報を車両走行情報として登録する（ステップＳ１６１４）。
【０１１６】
なお、料金所に駐在する収受員は、電子マネーカードから入場時料金分の電子マネーから引き落とし後、料金所ブース端末３０から電子マネーカードを取り出してドライバに返却する（ステップＳ１６１５）。車両のドライバは、料金所に駐在する収受員から返却された電子マネーカードを受領すると（ステップＳ１６１６）、車両を発進させて入場ゲートから有料道路に入場する（ステップＳ１６１７）。
【０１１７】
続いて、図１７に示すように、有料道路の走行を終えて所定の出場ゲートを通過して出場する際に、車両に搭載された車載器１０は車載器ＩＤを路側装置（出場側）４０に送信する（ステップＳ１７０１）。出場ゲートに設置された路側装置（出場側）４０は、車載器１０から車載器ＩＤを受信すると（ステップＳ１７０２）、この車載器ＩＤおよび出場ゲートに関する出口情報からなる出場時情報を生成して（ステップＳ１７０３）、有料道路管理センタサーバ５０に送信する（ステップＳ１７０４）。
【０１１８】
有料道路管理センタサーバ５０は、路側装置（出場側）４０から出場時情報を受信すると（ステップＳ１７０５）、出場時情報に含まれる車載器ＩＤに紐づけられた電子マネーカードＩＤを紐付情報の中から取得し、取得した電子マネーカードＩＤに対応するレコードを車両走行情報内から検索する（ステップＳ１７０６）。
【０１１９】
そして、有料道路管理センタサーバ５０は、検索されたレコード内の入口情報を取得し、取得した入口情報、および路側装置（出場側）４０から受信した出場時情報に含まれる出口情報を用いて超過料金算出処理を行う（ステップＳ１７０７）。具体的に説明すると、有料道路管理センタサーバ５０は、車両走行情報内から取得した入口情報が示す入場口から、出場時情報に含まれる出口情報が示す出場口までに至る有料道路の利用距離に応じた対距離料金と、入場時料金として収受した有料道路を利用する際の最大料金との差額を超過料金として算出する。
【０１２０】
超過料金の算出後、有料道路管理センタサーバ５０は、出場時情報に含まれる車載器ＩＤに紐づくものとして紐付情報の中から取得されるとともに、車両走行情報内のレコード検索に用いられた電子マネーカードＩＤを超過料金の返金先として決定し、この電子マネーカードＩＤおよび超過料金の情報を返金処理センタサーバに送信する（ステップＳ１７０８）。
【０１２１】
また、有料道路管理センタサーバ５０は、超過料金の返金先として決定された電子マネーカードＩＤに対応付けて、路側装置（出場側）４０から受信した出場時情報に含まれる出口情報、対距離料金および超過料金を車両走行情報記憶部５４ｂに登録する（ステップＳ１７０９）。
【０１２２】
返金処理センタサーバ６０は、有料道路管理センタサーバ５０から超過料金の情報および超過料金の返金先を示す情報である電子マネーカードＩＤを受信すると（ステップＳ１７１０）、この電子マネーカードＩＤに基づいて超過料金を返金する返金処理を行う（ステップＳ１７１１）。具体的には、返金処理センタサーバ６０は、超過料金の返金先である電子マネーカードＩＤに対応する電子マネーカードに対して、超過料金の情報から把握される超過料金分の電子マネーを返金する。例えば、有料道路管理会社と提携しているコンビニエンスストアの店舗端末に電子マネーのデータを送付して返金する。
【０１２３】
そして、返金処理センタサーバ６０は、処理年月日、電子マネーカードＩＤおよび返金額の情報からなる処理結果を登録する（ステップＳ１７１２）。
【０１２４】
［実施例１による効果］
上述してきたように、実施例１によれば、料金所ブース端末３０は、料金所に駐在する収受員により挿入された電子マネーカードＩＤから、有料道路を利用する際の最大料金に対応する電子マネーを入場時料金として収受するとともに、電子マネーカードに対して一意に付与された電子マネーカードＩＤを取得し、路側装置（入場側）２０は、この電子マネーカードＩＤと、車両が通過する入場口を特定するための入口情報とを対応付けて、有料道路管理センタサーバ５０に送信し、路側装置（出場側）４０は、出場口を通過する車両に搭載されている車載器１０から車載器ＩＤを取得して、この車載器ＩＤと出場口を特定するための出口情報とを対応付けて有料道路管理センタサーバに送信し、有料道路管理センタサーバ５０は、車載器ＩＤおよび電子マネーカードＩＤをあらかじめ紐付けた紐付情報を記憶しておき、路側装置（入場側）２０から受信した電子マネーカードＩＤおよび入口情報を対応付けて車両走行情報として登録し、紐付情報として記憶されている電子マネーカードＩＤの中から、路側装置（出場側）４０から受信した車載器ＩＤに対応する電子マネーカードＩＤを取得するとともに、車両走行情報として登録されたレコードの中から、先に取得した電子マネーカードＩＤに対応する入口情報を検索して、検索された入場口情報と、路側装置（出場側）４０から受信された出場口情報とに基づいて、入口情報が示す入場口から出口情報が示す出場口までに至る距離に応じた対距離料金と入場時料金との差額を算出し、出場時情報に含まれる車載器ＩＤに紐づくものとして紐付情報の中から取得されるとともに、車両走行情報内のレコード検索に用いられた電子マネーカードＩＤを、算出された差額の返金先に決定するので、有料道路を利用したドライバの対距離料金を電子マネーカードＩＤに紐づく情報から簡易に算出して、この電子マネーカードＩＤを超過料金の返金先として決定するので、対距離料金制度が導入されても、料金の徴収に必要な経費の削減や渋滞の緩和を果たしつつ、ＥＴＣの代わりとしてドライバに簡易に利用できるシステムを実現することが可能である。
【０１２５】
また、実施例１によれば、有料道路を利用するドライバに利用させる車載器に一意に付与された車載器ＩＤと、同じく有料道路を利用するドライバに利用させる電子マネーカードに一意に付与された電子マネーカードＩＤとを予め紐付けて管理するので、対距離料金制度が導入されても、料金の徴収に必要な経費の削減や渋滞の緩和を果たしつつ、ＥＴＣの代わりとしてドライバに簡易に利用できるシステムを実現することが可能であるだけでなく、例えば、車載器ＩＤの照合によって特定された入場口から出場口までの利用距離に応じて、有料道路を利用した車両の対距離料金を算出する場合、複数の車載器が車両に搭載されることによって発生し得る返却料金の二重取りといったドライバの不正を防止することが可能である。
【実施例２】
【０１２６】
上記の実施例１において、有料道路を利用する車両のドライバが返金の対象となる超過料金を次の有料道路の利用料金に充当することを望む場合には、返金の対象となる超過料金を充当するようにしてもよい。そこで、以下では、図を参照しつつ、実施例２に係る料金収受管理システムの構成および処理を説明した後に、実施例２による効果を説明する。
【０１２７】
［料金収受管理システムの構成（実施例２）］
まず、図１８〜図２０を用いて、実施例２に係る料金収受管理システムの構成を説明する。図１８は、実施例２に係る料金収受管理システムの構成を示すブロック図である。図１９は、実施例２に係る返金額情報の構成例を示す図である。図２０は、実施例２に係る車両走行情報の構成例を示す図である。実施例２に係る料金収受管理システムは、実施例１に係る料金収受管理システムと基本的には同様の構成であるが、以下に説明する点が異なる。
【０１２８】
すなわち、図１８に示すように、料金所ブース端末３０は、返金額情報記憶部３６ａを備えた記憶部３６と、制御部３５に返金額情報受信部３５ｂを備える。
【０１２９】
返金額情報記憶部３６ａは、有料道路管理センタサーバ５０から受信した返金額情報を記憶する記憶部である。ここで、返金額情報とは、有料道路を利用した車両のドライバへの返金の対象となる超過料金に関する情報であり、例えば、図１９に示すように、超過料金の返金先を示す返金先情報である電子マネーカードＩＤ（例えば、「２００８  １０１７  ０００１  ０００９」）と、有料道路管理センタサーバ５０から返金額情報を受信した年月日時を示す利用年月日時と、有料道路を利用した車両のドライバへの返金の対象となる超過料金を示す返金額と、有料道路の利用料金に充当されたか否かを示す料金充当ステータスとを対応付けて、返金額情報として記憶して構成される。なお、料金充当ステータスが「未」の場合には、有料道路の利用料金に充当されていないことを示し、料金充当ステータスが「済」の場合には、有料道路の利用料金に充当されたことを示す。
【０１３０】
料金収受処理部３５ａは、電子マネーカードＩＤおよび電子マネーの残高情報をカードリーダ３４から受け付けると、入場時料金を引き落とし可能な残高があるか否か判定した結果、料金収受処理部３５ａにより入場時料金を引き落とし可能な残高がないものと判定された場合には、返金額情報記憶部３６ａから返金額情報を読み込んで、料金充当ステータスを確認し、充当可能な金額が有るか否かを判定する。
【０１３１】
次に、料金収受処理部３５ａは、返金額情報の中に充当可能な金額が有ると判定した場合には、電子マネーの残高情報と充当可能な金額の合算から入場時料金の引き落としが可能であるか否か判定する。そして、料金収受処理部３５ａは、電子マネーの残高情報と充当可能な金額の合算から入場時料金の引き落としが可能であると判定した場合には、入場時料金の引き落としを実行する。このとき、料金収受処理部３５ａは、入場時料金の引き落としに充当された返金額に対応する返金額情報について、料金充当ステータスを「済」に変更する。
【０１３２】
上述してきた場合とは反対に、料金収受処理部３５ａは、返金額情報の中に充当可能な金額が無いと判定した場合、あるいは電子マネーの残高情報と充当可能な金額の合算から入場時料金の引き落としが可能ではないと判定した場合には、上記の実施例１で説明したのと同様に、料金所に駐在する収受員に不足金額を通知し、不足金額の通知を受けた料金所に駐在する収受員から、車両のドライバに対して不足料金を通知して、車両のドライバから受け付けた現金で不足料金を補って入場時料金の引き落としを実行する。
【０１３３】
また、返金額情報受信部３５ｂは、有料道路管理センタサーバ５０から返金額情報を受信すると、返金額情報に含まれる電子マネーカードＩＤ（例えば、「２００８  １０１７  ０００１  ０００９」）、および有料道路を利用した車両のドライバへの返金の対象となる超過料金を示す返金額に対応付けて、有料道路管理センタサーバ５０から返金額情報を受信した年月日時を示す利用年月日時、および有料道路の利用料金に充当されたか否かを示す料金充当ステータスを返金額情報として返金額情報記憶部３６ａに登録する。このとき、料金充当ステータスは「未」で登録される。
【０１３４】
ところで、有料道路を利用する車両のドライバは、有料道路を利用するドライバが返金の対象となる超過料金を次の有料道路の利用料金に充当することを望む場合には、有料道路管理センタサーバ５０に対して、例えば、ネットワーク接続可能なコンピュータなどにより、有料道路の利用料金支払いに利用する電子マネーカードＩＤを指定して、超過料金の充当を希望する旨のメッセージを送信する。
【０１３５】
有料道路管理センタサーバ５０は、有料道路を利用する車両のドライバから超過料金の充当を希望する旨のメッセージを受信すると、例えば、図２０に示すように、車両走行情報記憶部５４ｂに記憶されている車両走行情報に料金充当希望フラグを設定する。具体的には、有料道路を利用する車両のドライバから受信したメッセージに含まれる電子マネーカードＩＤに対応付けて、料金充当希望フラグを設定して記憶する。なお、料金充当希望フラグが「ＯＮ」であれば、超過料金の充当を実行することを示し、料金充当希望フラグが「ＯＦＦ」であれば、超過料金の充当を実行せずに、上記の実施例１で説明したような通常の返金処理を実行することを示す。
【０１３６】
例えば、有料道路管理センタサーバ５０の超過料金算出処理部５５ｂは、超過料金の算出後、車両走行情報記憶部５４ｂに記憶されている車両走行情報を読み込んで、超過料金の返金先として決定した電子マネーカードＩＤに対応する料金充当希望フラグが「ＯＮ」であるか否かを確認する。
【０１３７】
そして、超過料金算出処理部５５ｂは、超過料金の返金先として決定した電子マネーカードＩＤに対応する料金充当希望フラグが「ＯＮ」であることを確認した場合には、超過料金の返金先として決定された電子マネーカードＩＤに対応付けて、路側装置（出場側）４０から受信した出場時情報に含まれる出口情報、対距離料金および超過料金を車両走行情報記憶部５４ｂに登録する。
【０１３８】
さらに、超過料金算出処理部５５ｂは、超過料金の返金先として決定された電子マネーカードＩＤおよび超過料金の情報からなる返金額情報を料金所ブース端末３０に送信する。
【０１３９】
一方、超過料金算出処理部５５ｂは、超過料金の返金先として決定した電子マネーカードＩＤに対応する料金充当希望フラグが「ＯＮ」ではないこと（「ＯＦＦ」であること）を確認した場合には、超過料金の返金先として決定し、この電子マネーカードＩＤおよび超過料金の情報を返金処理センタサーバ６０に送信して、上記の実施例１で説明したように、通常の返金処理を実行する。
【０１４０】
［料金収受管理システムの処理（実施例２）］
次に、図２１および図２２を用いて、実施例２に係る料金収受管理システムの処理を説明する。図２１および図２２は、実施例２に係る料金収受管理システムによる処理の流れを示すシーケンス図である。実施例２に係る料金収受管理システムの処理は、図２１に示すステップＳ２１０６およびステップＳ２１０７、図２２に示すステップＳ２２０８、ステップＳ２２１１、ステップＳ２２１５およびステップＳ２２１６の処理が、上記の実施例１で説明した処理（図１６および図１７参照）とは異なる。
【０１４１】
すなわち、図２１に示すように、料金所ブース端末３０は、電子マネーカードの中に記憶されている電子マネーカードＩＤおよび電子マネーの残高情報を読取り（ステップＳ２１０３）、入場時料金を引き落とし可能な残高があるか否か判定した結果（ステップＳ２１０４）、料金収受処理部３５ａにより入場時料金を引き落とし可能な残高がないものと判定された場合には（ステップＳ２１０４否定）、返金額情報を読み込んで、料金充当ステータスを確認し、充当可能な金額が有るか否かを判定する（ステップＳ２１０６）。
【０１４２】
次に、料金所ブース端末３０は、返金額情報の中に充当可能な金額が有ると判定した場合には（ステップＳ２１０６肯定）、電子マネーの残高情報と充当可能な金額の合算から入場時料金の引き落としが可能であるか否か判定する（ステップＳ２１０７）。
【０１４３】
そして、料金所ブース端末３０は、電子マネーの残高情報と充当可能な金額の合算から入場時料金の引き落としが可能であると判定した場合には（ステップＳ２１０７肯定）、入場時料金の引き落としを実行する（ステップＳ２１０５）。このとき、料金所ブース端末３０は、入場時料金の引き落としに充当された返金額に対応する返金額情報について、料金充当ステータスを「済」に変更する。
【０１４４】
なお、料金所ブース端末３０は、返金額情報の中に充当可能な金額が無いと判定した場合（ステップＳ２１０６否定）、あるいは電子マネーの残高情報と充当可能な金額の合算から入場時料金の引き落としが可能ではないと判定した場合には（ステップＳ２１０７否定）、上記の実施例１で説明したのと同様に、料金所に駐在する収受員に不足金額を通知し（ステップＳ２１０８）、不足金額の通知を受けた料金所に駐在する収受員から、車両のドライバに対して不足料金を通知して、車両のドライバから受け付けた現金で不足料金を補って入場時料金の引き落としを実行する（ステップＳ２１０５）。
【０１４５】
また、図２２に示すように、有料道路管理センタサーバ５０は、超過料金の算出後（ステップＳ２２０７）、車両走行情報を読み込んで、超過料金の返金先として決定した電子マネーカードＩＤに対応する料金充当希望フラグが「ＯＮ」であるか否かを確認する（ステップＳ２２０８）。
【０１４６】
そして、有料道路管理センタサーバ５０は、超過料金の返金先として決定した電子マネーカードＩＤに対応する料金充当希望フラグが「ＯＮ」であることを確認した場合には（ステップＳ２２０８肯定）、超過料金の返金先として決定された電子マネーカードＩＤに対応付けて、路側装置（出場側）４０から受信した出場時情報に含まれる出口情報、対距離料金および超過料金を車両走行情報記憶部５４ｂに登録する（ステップＳ２２１０）。
【０１４７】
さらに、有料道路管理センタサーバ５０は、超過料金算出処理部５５ｂは、超過料金の返金先として決定された電子マネーカードＩＤおよび超過料金の情報からなる返金額情報を料金所ブース端末３０に送信する（ステップＳ２２１１）。
【０１４８】
一方、超過料金算出処理部５５ｂは、超過料金の返金先として決定した電子マネーカードＩＤに対応する料金充当希望フラグが「ＯＮ」ではないこと（「ＯＦＦ」であること）を確認した場合には（ステップＳ２２０８否定）、超過料金の返金先として決定し、この電子マネーカードＩＤおよび超過料金の情報を返金処理センタサーバ６０に送信して（ステップＳ２２０９）、上記の実施例１で説明したように、通常の返金処理を実行する（ステップＳ２２１２〜ステップＳ２２１４参照）。
【０１４９】
料金所ブース端末３０は、有料道路管理センタサーバ５０から返金額情報を受信すると（ステップＳ２２１５）、返金額情報に含まれる電子マネーカードＩＤ（例えば、「２００８  １０１７  ０００１  ０００９」）、および有料道路を利用した車両のドライバへの返金の対象となる超過料金を示す返金額に対応付けて、有料道路管理センタサーバ５０から返金額情報を受信した年月日時を示す利用年月日時、および有料道路の利用料金に充当されたか否かを示す料金充当ステータスを返金額情報として返金額情報記憶部３６ａに登録する（ステップＳ２２１６）。このとき、料金充当ステータスは「ＯＦＦ」で登録される。
【０１５０】
［実施例２による効果］
上述してきたように、実施例２によれば、対距離料金制度が導入されても、料金の徴収に必要な経費の削減や渋滞の緩和を果たしつつ、有料道路を利用する車両のドライバが返金の対象となる超過料金を次の有料道路の利用料金に充当することを望む場合には、返金の対象となる超過料金を充当することができ、有料道路の利用に際して、ＥＴＣの代わりとしてドライバにより簡易に利用できるシステムを実現することが可能である。
【実施例３】
【０１５１】
さて、これまで本発明を実施するための一実施形態について実施例１および２を説明したが、本発明は上述した実施例以外にも、種々の異なる形態にて実施されてよいものである。そこで、以下では、本発明を実施するための他の実施形態を説明する。
【０１５２】
（１）電子マネーカード受領時に紐付情報の登録確認
上記の実施例において、有料道路を利用するドライバに利用させる車載器に一意に付与された車載器ＩＤと、同じく有料道路を利用するドライバに利用させる電子マネーカードに一意に付与された電子マネーカードＩＤとの対からなる情報が予め管理する情報の中に存在するか否かを確認するようにしてもよい。
【０１５３】
例えば、路側装置（入場側）２０は、有料道路の入場口において一旦停止した車両に搭載されている車載器の車載器ＩＤを取得し、料金所ブース端末３０は、この車載器ＩＤと、車両のユーザから受領した電子マネーカードの電子マネーカードＩＤとの対からなる紐付情報があらかじめ記憶されている紐付情報の中に存在するか否かを判定し、あらかじめ記憶されている紐付情報の中に存在するものと判定された場合には、電子マネーカードＩＤおよび入口情報を含む入場口情報を有料道路管理センタサーバ５０に送信する。このようにすることで、超過料金の返金先の誤認を防止することが可能である。
【０１５４】
（２）有料道路の入口および出口で車両を特定する情報を取得して照合
また、上記の実施例において、有料道路の入口および出口で、有料道路を利用するドライバの車両を特定する情報（例えば、ナンバープレートの情報）を取得して照合するようにしてもよい。このようにすることで、超過料金の返金先の誤認をより確実に防止することが可能である。
【０１５５】
（３）装置構成等
また、図１０〜図１２に示した車載器１０、路側装置２０、料金所ブース端末３０、路側装置４０、有料道路管理センタサーバ５０および返金処理センタサーバ６０の各構成要素は機能概念的なものであり、必ずしも物理的に図示の如く構成されていることを要しない。すなわち、車載器１０、路側装置２０、料金所ブース端末３０、路側装置４０、有料道路管理センタサーバ５０および返金処理センタサーバ６０の分散・統合の具体的形態は図示のものに限られず、例えば、路側装置２０の情報送受信部２４ａと入場時情報生成部２４ｂとを統合し、路側装置４０の情報送受信部４４ａと出場時情報生成部４４ｂとを統合し、料金所ブース端末３０のカードリーダ３４と料金収受処理部３５ａとを統合し、有料道路管理センタサーバ５０の入出場時情報受信部５５ａと超過料金算出処理部５５ｂとを統合し、返金処理センタサーバ６０の返金処理情報送受信部６５ａと返金処理部６５ｂとを統合するなど、その全部または一部を、各種の負荷や使用状況などに応じて、任意の単位で機能的または物理的に分散・統合して構成することができる。さらに、車載器１０、路側装置２０、料金所ブース端末３０、路側装置４０、有料道路管理センタサーバ５０および返金処理センタサーバ６０にて行なわれる各処理機能（図１６および図１７等参照）は、その全部または任意の一部が、ＣＰＵおよび当該ＣＰＵにて解析実行されるプログラムにて実現され、あるいは、ワイヤードロジックによるハードウェアとして実現され得る。
【０１５６】
（４）料金収受管理方法
また、上記の実施例において説明した料金収受管理システムにより、以下のような料金収受管理方法が実現される。
【０１５７】
すなわち、有料道路の各入場口に設置される入場側装置（路側装置２０および料金所ブース端末３０）および有料道路の各出場口に設置される出場側装置（路側装置４０）と、有料道路を管理する有料道路管理装置（有料道路管理センタサーバ５０）とをネットワークを介して通信可能な状態に接続して構成され、有料道路に入場する車両のドライバから、貨幣価値をデジタルデータで表現した電子マネーが記憶されている電子マネー媒体を用いて、電子マネーで支払われた入場時料金の収受を管理する料金収受管理システムにおいて、入場側装置は、入場口において一旦停止した車両のドライバから電子マネー媒体を受領した場合に、有料道路を利用する際の最大料金に対応する電子マネーを前記入場時料金として当該電子マネー媒体から収受する料金収受ステップと（図１６のステップＳ１６０５等参照）、入場口において一旦停止した車両のドライバから電子マネー媒体を受領した場合に、当該電子マネー媒体に対して一意に付与された電子媒体識別子（電子マネーカードＩＤ）を取得する電子媒体識別子取得ステップと（図１６のステップＳ１６０３参照）、電子媒体識別子取得ステップにより取得された電子媒体識別子と、入場口において一旦停止した車両が通過する当該入場口を特定するための入場口情報とを対応付けて、前記有料道路管理装置に送信する入場口情報送信ステップと（図１６のステップＳ１６１２参照）、を含み、出場側装置は、出場口を通過する車両に搭載されている通信器（車載器１０）から、当該通信器に対して一意に付与された通信器識別子（車載器ＩＤ）を取得する出場時通信器識別子取得ステップと（図１７のステップＳ１７０２参照）、出場時通信器識別子取得ステップにより取得された通信器識別子と、当該通信器識別子に対応する通信器を搭載した車両によって通過される出場口を特定するための出場口情報を対応付けて、有料道路管理装置に送信する出場口情報送信ステップと（図１７のステップＳ１７０４参照）、を含み、有料道路管理装置は、通信器識別子および電子媒体識別子をあらかじめ紐付けた紐付情報を記憶部に記憶する紐付情報記憶ステップと、入場側装置から受信した電子媒体識別子および入場口情報を対応付けて記憶部に記憶する車両通行情報記憶ステップと、紐付情報記憶ステップにより記憶部に記憶されている電子媒体識別子の中から、出場側装置から受信した通信器識別子に対応する電子媒体識別子を検索する電子媒体識別子検索ステップと、車両通行情報記憶ステップにより記憶部に記憶されている入場口情報の中から、電子媒体識別子検索ステップにより検索された電子媒体識別子に対応する入場口情報を検索し（図１７のステップＳ１７０６参照）、当該検索された入場口情報と、出場側装置から受信された出場口情報とに基づいて、入場口情報が示す入場口から出場口情報が示す出場口までに至る距離に応じた対距離料金と入場時料金との差額を算出し（図１７のステップＳ１７０７参照）、当該算出された差額の返金先を電子媒体識別子検索ステップにより検索された電子媒体識別子に決定する返金先決定ステップと（図１７のステップＳ１７０８等参照）、を含んだ料金収受管理システムを実現する。
【産業上の利用可能性】
【０１５８】
以上のように、本発明に係る料金収受管理システムおよび料金収受管理方法は、有料道路の各入場口に設置される入場側装置および前記有料道路の各出場口に設置される出場側装置と、前記有料道路を管理する有料道路管理装置とをネットワークを介して通信可能な状態に接続して構成され、前記有料道路に入場する車両のドライバから、貨幣価値をデジタルデータで表現した電子マネーが記憶されている電子マネー媒体を用いて、電子マネーで支払われた入場時料金の収受を管理する場合に有用であり、特に、対距離料金制度が導入されても、料金の徴収に必要な経費の削減や渋滞の緩和を果たしつつ、ＥＴＣの代わりとしてドライバに簡易に利用できるシステムを実現することに適する。
【図面の簡単な説明】
【０１５９】
【図１】出荷される製品のイメージ図である。
【図２】ポータブルな車載器の形態例を示す図である。
【図３】有料道路パスキットの販売イメージを示す図である。
【図４】有料道路パスキットに含まれる車載器の車両への取り付けイメージを示す図である。
【図５】車載器の車両への取り付けイメージを示す図である。
【図６】車載器の車両への取り付けイメージを示す図である。
【図７】車載器の車両への取り付けイメージを示す図である。
【図８】実施例１に係る料金収受管理システムの概要および特徴を説明するための図である。
【図９】実施例１に係る料金収受管理システムの概要を説明するための図である。
【図１０】実施例１に係る車載器の構成を示すブロック図である。
【図１１】実施例１に係る路側装置（入場側）、料金所ブース端末および路側装置（出場側）の構成を示すブロック図である。
【図１２】実施例１に係る有料道路管理センタサーバおよび返金処理センタサーバの構成を示すブロック図である。
【図１３】実施例１に係る紐付情報の構成例を示す図である。
【図１４】実施例１に係る車両走行情報の構成例を示す図である。
【図１５】実施例１に係る処理履歴の構成例を示す図である。
【図１６】実施例１に係る料金収受管理システムによる処理の流れを示すシーケンス図である。
【図１７】実施例１に係る料金収受管理システムによる処理の流れを示すシーケンス図である。
【図１８】実施例２に係る料金収受管理システムの構成を示すブロック図である。
【図１９】実施例２に係る返金額情報の構成例を示す図である。
【図２０】実施例２に係る車両走行情報の構成例を示す図である。
【図２１】実施例２に係る料金収受管理システムによる処理の流れを示すシーケンス図である。
【図２２】実施例２に係る料金収受管理システムによる処理の流れを示すシーケンス図である。
【符号の説明】
【０１６０】
１  ネットワーク
１０  車載器
１１  通信制御部
１２  記憶部
１２ａ  車載器情報記憶部
１３  制御部
１３ａ  情報送信部
２０  路側装置（入場側）
２１  通信制御部
２２  ネットワーク通信制御部
２３  記憶部
２３ａ  情報記憶部
２４  制御部
２４ａ  情報送受信部
２４ｂ  入場時情報生成部
３０  料金所ブース端末
３１  通信制御Ｉ／Ｆ部
３２  入力部
３３  出力部
３４  カードリーダ
３５  制御部
３５ａ  料金収受処理部
４０  路側装置（出場側）
４１  通信制御部
４２  ネットワーク通信制御部
４３  記憶部
４３ａ  情報記憶部
４４  制御部
４４ａ  情報送受信部
４４ｂ  出場時情報生成部
５０  有料道路管理センタサーバ
５１  通信制御Ｉ／Ｆ部
５２  入力部
５３  出力部
５４  記憶部
５４ａ  紐付情報記憶部
５４ｂ  車両走行情報記憶部
５５  制御部
５５ａ  入出場時情報受信部
５５ｂ  超過料金算出処理部
５５ｃ  返金処理情報送受信部
６０  返金処理センタサーバ
６１  通信制御Ｉ／Ｆ部
６２  入力部
６３  出力部
６４  記憶部
６４ａ  返金処理履歴記憶部
６５  制御部
６５ａ  返金処理情報受信部
６５ｂ  返金処理部
【図１】
0004914842.tif 000002
【図２】
0004914842.tif 000003
【図３】
0004914842.tif 000004
【図４】
0004914842.tif 000005
【図５】
0004914842.tif 000006
【図６】
0004914842.tif 000007
【図７】
0004914842.tif 000008
【図８】
0004914842.tif 000009
【図９】
0004914842.tif 000010
【図１０】
0004914842.tif 000011
【図１１】
0004914842.tif 000012
【図１２】
0004914842.tif 000013
【図１３】
0004914842.tif 000014
【図１４】
0004914842.tif 000015
【図１５】
0004914842.tif 000016
【図１６】
0004914842.tif 000017
【図１７】
0004914842.tif 000018
【図１８】
0004914842.tif 000019
【図１９】
0004914842.tif 000020
【図２０】
0004914842.tif 000021
【図２１】
0004914842.tif 000022
【図２２】
0004914842.tif 000023